(57)【要約】【課題】外力が非常に大きい箇所に取り付けても充分耐え得るだけの取付け強度があり、且つ施工性が良好な屋根補修用金具を提供する。【解決手段】既設の波形屋根材７の上に、新たな屋根材１０を張り付けるための母屋材９を支持する屋根補修用金具１であって、既設の波形屋根材７から上方へ突出している屋根材固定ボルト８を挿通するボルト挿通孔２ｃが形成された母屋材支持面２ａと、その母屋材支持面２ａの両端から下方へ折り曲げられて形成された一対の支持脚部２ｂからなる支持具２と、上記支持具２に取付けられて屋根材固定ボルト８を側方から押圧する押圧具３と、屋根材固定ボルト８の上端部に螺合されている締付ナット６の下方に介された座金５と、既設の波形屋根材７との隙間に挿入される切欠部４ｃが形成された補助金具４とからなり、支持具２に係止部２ｇが形成されると共にその係止部２ｇと係合する係合部４ｄが補助金具４に設けられた構成とする。【選択図】図１
2008088650.tif 000002
【特許請求の範囲】
【請求項１】
既設の波形屋根材の上に、新たな屋根材を張り付けるための母屋材を支持する屋根補修用金具であって、
既設の波形屋根材から上方へ突出している屋根材固定ボルトを挿通するボルト挿通孔が形成された母屋材支持面と、その母屋材支持面の両端から下方へ折り曲げられて形成された一対の支持脚部からなる支持具と、
上記支持具に取付けられて屋根材固定ボルトを側方から押圧する押圧具と、
屋根材固定ボルトの上端部に螺合されている締付ナットの下方に介された座金と、既設の波形屋根材との隙間に挿入される切欠部が形成された補助金具とからなり、
上記支持具に係止部が形成されると共に、その係止部と係合する係合部が上記補助金具に設けられていることを特徴とする屋根補修用金具。
【請求項２】
補助金具が、底面部と、その底面部の左右両端から上方へ折り曲げられて形成された上端に耳部が設けられた一対の立ち上がり片からなり、支持具の支持脚部が切欠かれて上記耳部と係合する凹部が形成されていることを特徴とする請求項１に記載の屋根補修用金具。
【請求項３】
屋根材固定ボルトを側方から押圧する押圧具がボルトであって、支持具の母屋材支持面側方に、上記ボルトを螺合するネジ孔が形成されていることを特徴とする請求項１又は請求項２に記載の屋根補修用金具。
【発明の詳細な説明】
【技術分野】
【０００１】
本発明は、老朽化が進んだ工場などの波形屋根材の上に、新たな屋根材を張り付けるための屋根補修用金具に関し、特に、外力が加わる箇所に好適に用いられる屋根補修用金具するものである。
【背景技術】
【０００２】
戦後、工場などの建物の屋根材として、安価で耐火性、耐水性、耐久性に優れた、石綿にセメントを混ぜ込んだスレートなどが好適に使用されてきたが、それらの老朽化に伴い雨漏りなどの補修を行う必要が生じてきた。既存のスレートを張り替えての補修は、工場の業務を停止するなど大規模な措置を講ずる必要があるため、通常は、既存のスレートの上に新たに波板又は折版などの屋根材を張り付けるという補修が一般的である。
【０００３】
周知のように、スレートには人体に悪影響を及ぼすアスベストが含有されており、ドリル等を用いての補修は、粉塵が工場内に落下してしまう恐れがあり好ましくない。このような事情から、新たな屋根材を張り付けるのに、既存のスレート板の外表面に配設される複数の支持金具と、新たな屋根材を支持するための支持面を有する外装下地材とで構成され、上記支持金具は、既存のスレート板の山部を跨いでその両側の谷部に配置される一対の脚部と、既存のスレート板の外表面から突出している既存のボルトの先端部に螺合されたナットとナット座金との隙間に挿入されて係止される挿入係止部と、外装下地材を支持するための外装下地材支持面とを備えた外装材葺替用治具などが用いられる（特許文献１）。
【０００４】
しかしながら、上記の外装材葺替用治具は、スレート板から突出している既存のボルトに螺合されているナットを一旦緩め、ナットとナット座金との間に生じた隙間に支持金具の挿入係止部を挿入して、再びナットを締め付けて支持金具を固定するものなので、経年劣化で錆び付いたボルトから締付ナットを緩めたり締め付けたりの作業は簡単ではなく、時にはボルトのネジ山を潰したりボルト自体を折ってしまうなど、施工に多大な時間と労力を要するという問題があった。
【０００５】
一方、波形スレート屋根を母屋に固定する既設のフックボルト上部の座金と波形スレート屋根との間に、スリットを有した板形状の割りピン金具を挿入し、Ｃ型綱を支持する連結金具を、上記割りピン金具と係合させることでフックボルトに固定する新設屋根取付け具のように、既存のボルトに螺合されているナットを緩めたり締め付けたりする必要がないものも提案されている（特許文献２）。
【０００６】
しかしながら、上記の新設屋根取付け具は、新たな屋根材を取り付けるためのＣ型綱を支持する連結金具と割りピン金具が、連結金具の脚部に形成された折り曲げ先端部分のみで係合しているだけなので安定性に欠け、特に、波形スレート屋根の四隅など、風圧などの外力が非常に大きい箇所では取付け強度が充分とはいえず、新たな屋根材が風圧で飛ばされたりする恐れがあった。
【特許文献１】特開２００２−１４６９７３号公報
【特許文献２】特開２００５−４８５１６号公報
【発明の開示】
【発明が解決しようとする課題】
【０００７】
本発明は上記の事情に鑑みてなされたもので、既設の波形屋根材の四隅など、外力が非常に大きい箇所に取り付けても充分耐え得るだけの取付け強度があり、且つ、施工性が非常に良好である屋根補修用金具を提供することを解決課題としている。
【課題を解決するための手段】
【０００８】
上記課題を解決するため、本発明に係る屋根補修用金具は、既設の波形屋根材の上に、新たな屋根材を張り付けるための母屋材を支持する屋根補修用金具であって、既設の波形屋根材から上方へ突出している屋根材固定ボルトを挿通するボルト挿通孔が形成された母屋材支持面と、その母屋材支持面の両端から下方へ折り曲げられて形成された一対の支持脚部からなる支持具と、上記支持具に取付けられて屋根材固定ボルトを側方から押圧する押圧具と、屋根材固定ボルトの上端部に螺合されている締付ナットの下方に介された座金と、既設の波形屋根材との隙間に挿入される切欠部が形成された補助金具とからなり、上記支持具に係止部が形成されると共に、その係止部と係合する係合部が上記補助金具に設けられていることを特徴とするものである。
【０００９】
本発明の屋根補修用金具においては、補助金具が、底面部と、その底面部の左右両端から上方へ折り曲げられて形成された上端に耳部が設けられた一対の立ち上がり片からなり、支持具の支持脚部が切欠かれて上記耳部と係合する凹部が形成されていることが好ましい。そして、屋根材固定ボルトを側方から押圧する押圧具がボルトであって、支持具の母屋材支持面側方に、上記ボルトを螺合するネジ孔が形成されている屋根補修用金具がより好ましい。
【発明の効果】
【００１０】
本発明の屋根補修用金具は、支持具に形成されたボルト挿通孔に、既設の波形屋根材から上方へ突出している屋根材固定ボルトを挿通し、押圧具でその屋根材固定ボルトを側方から押圧すると、屋根材固定ボルトには押圧方向への力が作用する。このように押圧具で屋根材固定ボルトを押圧すると、支持具は押圧方向とは逆方向へ引っ張られるので、屋根材固定ボルトは押圧具の先端部分と支持具のボルト挿通孔内周面で強固に挟持されることになる。通常の取付け箇所では押圧具のみで屋根補修用金具を充分固定することができるが、本発明は更に、屋根材固定ボルトの上端部に螺合されている締付ナットの下方に介された座金と、既設の波形屋根材との隙間に、ハンマー等で打込むなどして補助金具の切欠部を挿入し、支持具に形成された係止部と補助金具に設けられた係合部を係合させる。従って、新たな屋根材に風圧など大きい外力が加わって、押圧具による側方からの固定だけでは支持具が屋根材固定ボルトから外れそうになっても、座金と既設の波形屋根材に挟持された補助金具によっても支持具を固定しているので、相当の大きい外力が新たな屋根材に加わっても、従来の新設屋根取付け具のように、屋根補修用金具が外れたりする心配は皆無に等しくなる。
【００１１】
そして、補助金具が、底面部と、その底面部の左右両端から上方へ折り曲げられて形成された上端に耳部が設けられた一対の立ち上がり片からなり、支持具の支持脚部が切欠かれて上記耳部と係合する凹部が形成されている屋根補修用金具は、座金と既設の波形屋根材との隙間に補助金具を挿入するだけで、支持具の凹部と補助金具の耳部が自然と係合し、支持具と補助金具とを簡単且つ強固に連結することができる。
【００１２】
また、既設の波形屋根材の屋根材固定ボルトを側方から押圧する押圧具がボルトであって、支持具の母屋材支持面側方に、上記ボルトを螺合するネジ孔が形成された屋根補修用金具は、押圧具がボルトであるので、支持具に形成されたネジ孔にボルトを締め込むだけで該屋根材固定ボルトを側方から簡単且つ強固に押圧することができる。しかも、電動工具等を使用することができるので施工性が非常に良好である。
【発明を実施するための最良の形態】
【００１３】
以下、図面を参照して本発明の具体的な実施形態を詳述する。
【００１４】
図１は本発明の一実施形態に係る屋根補修用金具の分解斜視図、図２は同補修用金具の構成部材である支持具を示すものであって、（ａ）は同支持具の平面図、（ｂ）は同支持具の正面図、（ｃ）は同支持具の左側面図、図３は同補修用金具の構成部材である補助金具を示すものであって、（ａ）は同補助金具の平面図、（ｂ）は同補助金具の正面図、図４は同支持具のボルト挿通孔に屋根材固定ボルトを挿通して既設の波形屋根材に載置した状態を示す正面図、図５は同支持具の押圧具で屋根材固定ボルトを押圧した状態を示す左側面図、図６は同補助金具を座金と既設の波形屋根材との間に挿入する前の状態を示す斜視図、図７は同補修用金具を既設の波形屋根材に取付けて新たな屋根材を張り付けた状態を示す正面図である。
【００１５】
本発明の屋根補修用金具１は、図１、図７に示すように、既設の波形屋根材７の上に新たな屋根材１０を張り付けるための母屋材９を支持するためのものであって、母屋材９を支持する支持具２と、既設の波形屋根材７から上方へ突出している屋根材固定ボルト８を側方から押圧する押圧具３と、屋根材固定ボルト８の上端部に螺合されている締付ナット６と、その締付ナット６の下方に介された座金５と既設の波形屋根材７との隙間に挿入される補助金具４とで構成されている。
尚、図７に示す既設の波形屋根材７としては、安価で耐火性、耐水性、耐久性に優れるスレートが多く、また、新たな屋根材１０としては、安価で耐久性、耐水性に優れる軽量な合成樹脂製の波板などが好適に使用される。
【００１６】
支持具２は、図２に示すように、母屋材９を支持する母屋材支持面２ａと、既設の波形屋根材７の山部７ａを跨いでその両側の谷部７ｃ，７ｃに至るまでの斜面７ｂ，７ｂに載置される一対の支持脚部２ｂ，２ｂからなるもので、母屋材９及び新たな屋根材１０の重みに耐え得るように金属で形成されている。
尚、この支持具２を合成樹脂で成形することも可能ではあるが、強度を確保するのに厚みを増す必要があるので、金属製のものが好適に使用される。
【００１７】
図１、図２（a）に示すように、母屋材支持面２ａの前側面近傍で支持脚部２ｂ，２ｂの中間地点には、既設の波形屋根材７から上方へ突出している屋根材固定ボルト８を挿通するボルト挿通孔２ｃが穿孔されている。このボルト挿通孔２ｃは、様々な種類の屋根材固定ボルト８を挿通し易いように、その内径は大きめに形成されている。
【００１８】
そして、図２（ｃ）に示すように、母屋材支持面２ａの前側面の一部分をコ字状に折り曲げて、押圧具３を取付けるボルト螺合部２ｄが形成されており、このボルト螺合部２ｄの側面には押圧具３を螺合するネジ孔２ｅが形成されると共に、底面には屋根材固定ボルト８を挿通する挿通孔２ｆが形成されている。この挿通孔２ｆは、前述した母屋材支持面２ａに形成されたボルト挿通孔２ｃと同径で、ボルト挿通孔２ｃの真下に位置するように穿孔されている。
【００１９】
また、既設の波形屋根材７の山部７ａを跨いでその両側の谷部７ｃ，７ｃに至るまでの斜面７ｂ，７ｂに載置される一対の支持脚部２ｂ，２ｂは、図２（ｂ）に示すように、上記母屋材支持面２ａの左右両端を下方へ略９０°折り曲げることによって形成されたもので、その下端は既設の波形屋根材７の斜面７ｂ，７ｂにぐらつきなく載置されるように、既設の波形屋根材５の斜面７ｂ，７ｂの角度と略等しくなるように外側へ折り曲げられている。
【００２０】
そして、図２（ｃ）に示すように、支持脚部２ｂ，２ｂには、後述する補助金具４と係合する係合部である凹部２ｇ，２ｇが形成されている。この凹部２ｇ，２ｇは、支持脚部２ｂ，２ｂの前側面から後方向へかけて凹型に切欠いて形成されたもので、補助金具４の長さ及び高さに合致するように切欠かれている。
【００２１】
一方、前述した支持具２のネジ孔２ｅに螺合されて屋根材固定ボルト８を側方から押圧する押圧具３は、図１等に示すように、通常の六角形ボルトで、このように通常の六角形ボルトとすることで、電動工具等を使用することができ、施工性が非常に良好となる。
尚、レンチなどの工具を用いることなく直接手で締め付けることのできる蝶ネジを押圧具３として用いてもよい。
【００２２】
上記のような構成の支持具２を、図４に示すように、既設の波形屋根材７に取付ける。
【００２３】
即ち、図４に示すように、まず、既設の波形屋根材７から上方へ突出している屋根材固定ボルト８を、支持具２のボルト螺合部２ｄ底面に形成された挿通孔２ｆと母屋材支持面２ａに形成されたボルト挿通孔２ｃに挿通して、支持具２の支持脚部２ｂ，２ｂの下端面を既設の波形屋根材５の斜面７ｂ，７ｂに載置する。
【００２４】
そして、電動工具等でボルト螺合部２ｄ側面のネジ孔２ｅに押圧具３（六角形ボルト）を螺合して締め込んでいく。押圧具３を締め込んでいくと、図５に示すように、押圧具３の先端部分が屋根材固定ボルト８に当接し、押圧具３が屋根材固定ボルト８を矢印Ｐ１方向へと押圧していく。押圧具３が屋根材固定ボルト８に当接してから更に締め込むと、支持具２は押圧具３の方向（矢印Ｐ２方向）へと引っ張られるので、押圧方向（矢印Ｐ１）とは逆方向（矢印Ｐ２）へと移動を始め、母屋材支持面２ａのボルト挿通孔２ｃと、ボルト螺合部２ｄの挿通孔２ｆが屋根材固定ボルト８に当接して、ボルト挿通孔２ｃと挿通孔２ｆで屋根材固定ボルト８を矢印Ｐ２方向へ押圧することになる。
【００２５】
このように、押圧具３によって屋根材固定ボルト８を矢印Ｐ１方向へ押圧すると、支持具２は屋根材固定ボルト８を矢印Ｐ２方向へと押圧することになるので、屋根材固定ボルト８は、ボルト挿通孔２ｃの内周面（矢印Ｐ２方向）と挿通孔２ｆの内周面（矢印Ｐ２方向）と押圧具３（矢印Ｐ１方向）の３点で強固に挟持される。
【００２６】
通常は、上記の方法のみで屋根補修用金具１を屋根材固定ボルト８に充分固定することができるが、外力が非常に大きい箇所（既設の波形屋根材７の四隅や年中風の強い工場地帯など）では、より確実に外れないようにするため、次に説明する補助金具４を用いる。
【００２７】
補助金具４は上記支持具２が外れないように補助するためのもので、図１に示すように、底面部４ａと、その底面部４ａの左右両端から上方へ向って折り曲げられた一対の立ち上がり片４ｂ，４ｂからなる断面略凹型をしており、図３（ｂ）に示すように、立ち上がり片４ｂ，４ｂの上端には耳部４ｄ，４ｄがそれぞれ設けられている。この耳部４ｄ，４ｄは、前述した支持具２の凹部２ｇ，２ｇに挿入して、支持具２と補助金具４を係合させるものであるから、挿入し易く、且つ、強固に係合する形状であることが好ましく、本実施形態では、左側の耳部４ｄは立ち上がり片４ｂの上端を外側へ略９０°折り曲げて、更に下方へ略９０°折り曲げた形状とされ、右側の耳部４ｄは立ち上がり片４ｂの上端を外側へ略９０°折り曲げて、更に下方へ略９０°折り曲げ、更に略９０°内側に折り曲げた形状となっている。
【００２８】
また、底面部４ａは、図３（ｂ）、図７に示すように、既設の波形屋根材７の曲面に合致するように、中央が高く両端に向って低くなるように弯曲している。そして、図３（ａ）に示すように、底面部４ａの後側面は切欠かれて切欠部４ｃが形成されている。この切欠部４ｃは、屋根材固定ボルト８の上端部に螺合されている締付ナット６の下方に介された座金５と、既設の波形屋根材７との間に補助金具４を挿入できるようにすると共に屋根材固定ボルト８を挟持するために形成されたもので、入口付近の幅は挿入し易いように広く形成され、内部の幅は屋根材固定ボルト８の外径と略同じ寸法に形成され、端部は屋根材固定ボルト８の形状に合わせて半円形状に切欠かれている。
【００２９】
上記構成の補助金具４を、前述したように既設の波形屋根材７に取付けられた支持具２と係合させる。
【００３０】
即ち、図６に示すように、既設の波形屋根材７の山部７ａに補助金具４を載置し、矢印Ｐ３方向へと移動させて、補助金具４の耳部４ｄ，４ｄを支持具２の凹部２ｇ，２ｇに挿入する。補助金具４の耳部４ｄ，４ｄを支持具２の凹部２ｇ，２ｇに挿入していくと、補助金具４の切欠部４ｃの幅広部分が座金５に接触する。座金５は通常の円形で薄型金属製のワッシャーであるので、補助金具４をハンマー等で矢印Ｐ３方向へ打込んでいくと変形し、補助金具４の切欠部端部４ｃが、屋根材固定ボルト８に当接するまで打込むことができる。
勿論、屋根材固定ボルト８に螺合されている締付ナット６を一旦緩めて、既設の波形屋根材７との間に充分な隙間を確保してから補助金具４を挿入してもよいが、長年風雨に晒された締付ナット６は錆び付いて緩め難いことが多いので、上記のような方法で補助金具４を取付けるほうが簡単である。
【００３１】
上記のように、補助金具４の耳部４ｄ，４ｄを支持具２の凹部２ｇ，２ｇに挿入すると、図７に示すように、補助金具４の耳部４ｄ，４ｄと支持具２の凹部２ｇ，２ｇが係合する。このように支持具２と補助金具４が係合すると、台風などが到来して、押圧具３による固定だけでは不充分で支持具２が上方へ飛ばされそうになったとしても、締付ナット６の下方に介された座金５と既設の波形屋根材７との間に挟持された補助金具４の耳部４ｄ，４ｄと、支持具２の凹部２ｇ，２ｇが係合しているので、屋根補修用金具１が飛ばされたりする心配は皆無に等しい。
【００３２】
このように、まず既設の波形屋根材５に支持具２を取付け、次に支持具２と補助金具４を係合させることで屋根補修用金具１を取付けが完了する。そして、母屋材支持面２ａに母屋材９を支持させて、新たな屋根材１０を張り付けると屋根の補修作業が完了する。
【００３３】
以上の説明から明らかなように、本発明の屋根補修用金具１は、押圧具３によって充分強固に取付けられた支持具２の凹部２ｇ，２ｇへ、更に、補助金具４の耳部４ｄ，４ｄを挿入し、支持具２と補助金具４を係合させるので、相当の大きい外力が新たな屋根材１０に加わったとしても、充分耐え得るだけの取付け強度がある。しかも、支持具２は、ボルト挿通孔２ｃに挿通して押圧具３によって側方から押圧するだけで取付けることができ、更に強固に取付けるための補助金具４は、屋根材固定ボルト８の上端部に螺合されている締付ナット６の下方に介された座金５と既設の波形屋根材７との隙間に、ハンマー等で打込むだけでよいので施工性が非常に良好である、といった顕著な効果を奏する。
【００３４】
図８は本発明の他の実施形態に係る屋根補修用金具の構成部材である補助金具を、座金と既設の波形屋根材との間に挿入する前の状態を示す斜視図である。
【００３５】
本実施形態の屋根補修用金具１０は、図８に示す補助金具４０を用いる。この補助金具４０は、前述した補助金具４の底面部４ａの前側面に、凹型の打込み片４ｅを設けたものである。この打込み片４ｅは、補助金具４０を座金と既設の波形屋根材との間に挿入する際、ハンマーで叩かれる箇所であるから、形状は本実施形態のように凹型に限られるものでなく、ハンマーで叩き易い形状であればどのような形状であってもよい。
この屋根補修用金具１０の他の構造（支持具２、押圧具３）は、前述した図１〜図７に示す実施形態の屋根補修用金具１と同様であるから、同一部材に同一符号を付し、説明を省略する。
【００３６】
このような補助金具４０を構成部材とする屋根補修用金具１０は、補助金具４０を製造するのに、前述した屋根補修用金具１の補助金具４を製造するよりもやや手間がかかるが、この打込み片４ｅを設けることで、補助金具４０を既設の波形屋根材７に載置して矢印Ｐ３方向へ打込む際、叩き易いのは勿論のこと、左右均等に力が加わるといった利点もある。従って、施工現場によって、前述した補助金具４と使い分けることが好ましい。
【図面の簡単な説明】
【００３７】
【図１】本発明の一実施形態に係る屋根補修用金具の分解斜視図である。
【図２】同補修用金具の構成部材である支持具を示すものであって、（ａ）は同支持具の平面図、（ｂ）は同支持具の正面図、（ｃ）は同支持具の左側面図である。
【図３】同補修用金具の構成部材である補助金具を示すものであって、（ａ）は同補助金具の平面図、（ｂ）は同補助金具の正面図である。
【図４】同支持具の挿通孔に屋根材固定ボルトを挿通して既設の波形屋根材に載置した状態を示す正面図である。
【図５】同支持具の押圧具で屋根材固定ボルトを押圧した状態を示す左側面図である。
【図６】同補助金具を座金と既設の波形屋根材との間に挿入する前の状態を示す斜視図である。
【図７】同補修用金具を既設の波形屋根材に取付けて新たな屋根材を張り付けた状態を示す正面図である。
【図８】本発明の他の実施形態に係る屋根補修用金具の構成部材である補助金具を、座金と既設の波形屋根材との間に挿入する前の状態を示す斜視図である。
【符号の説明】
【００３８】
１、１０  屋根補修用金具
２    支持具
２ａ  母屋材支持面
２ｂ  支持脚部
２ｃ  ボルト挿通孔
２ｄ  ボルト螺合部
２ｅ  ネジ孔
２ｆ  挿通孔
２ｇ  係止部（凹部）
３    押圧具（六角形ボルト）
４、４０  補助金具
４ａ  底面部
４ｂ  立ち上がり片
４ｃ  切欠部
４ｄ  係合部（耳部）
４ｅ  打込み片
５    座金
６    締付ナット
７    既設の波形屋根材
８    屋根材固定ボルト
９    母屋材
１０  新たな屋根材
【図１】
2008088650.tif 000003
【図２】
2008088650.tif 000004
【図３】
2008088650.tif 000005
【図４】
2008088650.tif 000006
【図５】
2008088650.tif 000007
【図６】
2008088650.tif 000008
【図７】
2008088650.tif 000009
【図８】
2008088650.tif 000010